(57)【要約】【課題】天井等に設置されている扉の開閉作業を容易にできる開閉装置を提供することを課題とする。【解決手段】本実施形態に係る開閉装置は、天井へ向かって延びる操作棒２と、操作棒２の延出方向の先端に設けられる回動機構１０と、を備え、回動機構１０は、操作棒２の先端に同軸に設けられ、操作棒２と離間する側の先端にねじ回し部１２を有する棒と、ピン１１２よりも大きな内径を有し、棒をスライド可能に挿通した円筒体と、円筒体および操作棒２の間に設けられ、操作棒２に対して円筒体を棒の操作棒２側の基端から先端へ向かう方向へ付勢する第１バネ１４と、を有する。【選択図】      図３
2017145637.tif 000002
【特許請求の範囲】
【請求項１】
天井に配置される扉の表面から床方向に突出したピン、および前記ピンの回動により前記扉を解放可能にする第１位置と前記扉を前記天井に係止する第２位置との間で移動する係止板を有する係止機構の前記ピンを回動して前記係止板を前記第１位置と前記第２位置へ選択的に移動させる開閉装置であって、
前記天井へ向かって延びる操作棒と、
前記操作棒の延出方向の先端に設けられる回動機構と、を備え、
前記回動機構は、
前記操作棒の前記先端に同軸に設けられ、前記操作棒と離間する側の先端にねじ回し部を有する棒と、
前記ピンよりも大きな内径を有し、前記棒をスライド可能に挿通した円筒体と、
前記円筒体および前記操作棒の間に設けられ、前記操作棒に対して前記円筒体を前記棒の前記操作棒側の基端から前記先端へ向かう方向へ付勢する第１バネと、
を有する開閉装置。
【請求項２】
前記円筒体は、前記ピンの周囲を囲む段部が設けられていることを特徴とする請求項１に記載の開閉装置。
【請求項３】
前記円筒体は、前記棒をスライド可能に挿通する第１円筒体と、
前記第１円筒体の外周に設けられ、前記ピンの直径よりも大きな内径を備え、前記第１円筒体の前記第１バネと当接する側と反対側の端面を周方向に囲む位置で前記第１円筒体に固定される第２円筒体と、
を備えることを特徴とする請求項１に記載の開閉装置。
【請求項４】
前記第２円筒体には、前記第２円筒体の外周面と内周面を貫通し、前記第１円筒体の外周面と当接する固定ねじを備えていることを特徴とする請求項３に記載の開閉装置。
【請求項５】
前記棒に回動自在に支持され、前記第２円筒体の周囲を囲む支持部と、前記棒に沿って設けられ、前記支持部を往復動可能に支持する第２バネと、を備えることを特徴とする請求項４に記載の開閉装置。
【請求項６】
前記支持部は、その一部に段部を備えていることを特徴とする請求項５に記載の開閉装置。
【発明の詳細な説明】
【技術分野】
【０００１】
本発明は、天井に設置された点検口等の扉の開け閉めに用いる開閉装置に関する。
【背景技術】
【０００２】
店舗等の高い天井に設置されている点検口等は、扉により塞がれている。扉は、係止機構により天井と係止されている。従来、作業者は、点検口等の開閉が必要な場合には、梯子または作業台車等を用いて天井へ接近して作業を行っていた（例えば、特許文献１を参照）。
【先行技術文献】
【特許文献】
【０００３】
【特許文献１】特開平８−２３２４６０号公報
【発明の概要】
【発明が解決しようとする課題】
【０００４】
しかしながら、梯子の上での作業は、作業者の落下の危険を伴う。また、点検口が複数ある場合には、何度も梯子の登り降りを繰り返す必要があり、作業負担が大きい。
【０００５】
そこで、本発明は、天井に設置されている扉の開閉作業を容易にできる開閉装置を提供することを目的とする。
【課題を解決するための手段】
【０００６】
一実施形態に係る開閉装置は、天井に配置される扉の表面から床方向に突出したピン、およびピンの回動により扉を解放可能にする第１位置と扉を天井に係止する第２位置との間で移動する係止板を有する係止機構のピンを回動して係止板を第１位置と第２位置へ選択的に移動させる開閉装置であって、天井へ向かって延びる操作棒と、操作棒の延出方向の先端に設けられる回動機構と、を備え、回動機構は、操作棒の先端に同軸に設けられ、操作棒と離間する側の先端にねじ回し部を有する棒と、ピンよりも大きな内径を有し、棒をスライド可能に挿通した円筒体と、円筒体および操作棒の間に設けられ、操作棒に対して円筒体を棒の操作棒側の基端から先端へ向かう方向へ付勢する第１バネと、を有する。
【発明の効果】
【０００７】
本発明によれば、高所に設置されている扉の開閉作業を容易にできる開閉装置を提供することができる。
【図面の簡単な説明】
【０００８】
【図１】図１は、実施形態に係る開閉装置の斜視図である。
【図２】図２は、図１とは別の角度から開閉装置をみた斜視図である。
【図３】図３は、図１の開閉装置の要部を切断した状態を示す断面概略図である。
【図４】図４は、図３の開閉装置を操作した状態を示す断面概略図である。
【図５】図５は、一般的な点検口の扉の構造を示す説明図である。
【発明を実施するための形態】
【０００９】
始めに、開閉装置１について説明する前に、図５を用いて一般的な点検口の扉１００について説明する。
【００１０】
ビルのオフィスや商業施設の天井２００の裏には、多種多様な配線が設けられている。これらの配線は、例えば、天井２００と屋根との間、いわゆる天井裏に収容されている。
【００１１】
配線の交換、または、点検等が必要な場合には、作業者は、点検口から必要な配線にアクセスし、作業をする。一般的にオフィスビル等においては、通常、点検口は、扉１００により閉じられている（図５参照）。
【００１２】
扉１００は、例えば、天井２００の約５０センチ四方の点検口の内側に嵌め込まれ、点検口を塞いでいる。一般的に、扉１００は、点検口の１辺に設けたヒンジ３００を介して、天井２００と連結されている。そして、扉１００は、図５に示すように、ヒンジ３００が設けられている辺と反対側の端辺に点検口を開閉する扉１００の係止機構１１０を備えている。
【００１３】
係止機構１１０は、扉１００を扉表面１０１から図示しない裏面まで厚み方向に貫通したピン１１２と、扉１００の裏面側に突出したピン１１２の後端に固定される係止板１１４とを有している。ピン１１２の扉表面１０１側の先端には、溝１１６が設けられる。溝１１６は、例えば、マイナスドライバーを用いて、ピン１１２を回動させるために設けられる。係止板１１４は、図５に示すように、例えば、長方形の板である。係止板１１４の一端側は、ピン１１２の後端に固定される。
【００１４】
続いて、係止機構１１０の動作について図５を用いて説明する。  
扉１００に係止機構１１０が無い場合には、扉１００は、その自重によりヒンジ３００を回動中心として重力方向に回動する。これにより、扉１００は、天井面２０１に対して鉛直に垂れ下がる。係止機構１１０は、扉１００を天井２００と平行な状態に維持するためのものである。
【００１５】
係止機構１１０の係止板１１４は、ピン１１２の回動動作と連動して、図５において点線で示す第１位置１１４ａと一点鎖線で示す第２位置１１４ｂに選択的に移動可能である。係止板１１４は、ピン１１２を中心として３６０度回転可能にすることもできる。
【００１６】
すなわち、第１位置１１４ａとは、係止板１１４の回動先端部が扉１００と重なる位置にある場合のことである。言い換えれば、係止板１１４が第１位置１１４ａにある場合、扉１００は、天井２００に対して係止されていない。このため、扉１００は、上述のように重力により垂れ下がり、点検口が開く。
【００１７】
一方、第２位置１１４ｂとは、係止板１１４の回動先端が天井２００側にせり出した位置にある状態のことである。すなわち、扉１００を天井２００と平行になる位置で支持した状態で、係止板１１４が第２位置１１４ｂにある場合、扉１００は、天井２００の縁２０２によって係止され、天井２００と平行な状態で保持される。この状態で、点検口は扉１００によって塞がれる。
【００１８】
図１は、実施形態に係る開閉装置１を示す斜視図である。図２は、図１とは別の角度からみた開閉装置１の斜視図である。図３は、開閉装置１の要部を回転軸Ｃに沿って切断した状態を示す断面概略図である。図４は、図３の開閉装置１を操作した状態を示す断面概略図である。なお、図３および図４は、回動機構１０の動作を説明する説明図であるため、支持機構３０については、図示を省略している。
【００１９】
開閉装置１は、図１に示すように、操作棒２の先端に固定されている。  
操作棒２は、例えば、複数の円筒部材を伸縮自在に連結した棒状部材である。  
このような構成を有する操作棒２は、床から扉１００が設けられた天井２００までの高さに合わせて、伸縮量を調整することができる。操作棒２の材料としては、軽量であって、ある程度の強度を有していることが好ましい。操作棒２の材料としては、例えば、樹脂材料やＦＲＰ等を採用することができる。
【００２０】
続いて、操作棒２の先端に固定される開閉装置１について説明する。  
開閉装置１は、図１に示すように、大きく２つの部材から構成される。１つは、ピン１１２を回すための回動機構１０である。もう１つは、扉１００を支持するための支持機構３０である。
【００２１】
回動機構１０は、図１および図３に示すように、細長い棒１１と、この棒１１の先端部に設けられたねじ回し部１２と、この棒１１の基端部に設けられた第１軸体１３ａと、を有する。また、回動機構１０は、第１軸体１３ａの周囲を囲むように配置された第１バネ１４と、棒１１の回転軸Ｃと同軸に設けられ、第１バネ１４の先端と当接し、棒１１に沿って往復動可能に設けられた第１円筒体１５とを有する。  
さらに、回動機構１０は、第１円筒体１５の外径よりも大きな内径を備える第２円筒体１６を備える。第２円筒体１６は、第１円筒体１５の外側の所定の位置に支持される。
【００２２】
棒１１は、例えば、細長い金属性の剛体である。そして、棒１１の先端に設けられるねじ回し部１２は、上述したピン１１２の溝１１６に嵌合する形状を有している。本実施形態においては、ねじ回し部１２は、マイナスドライバーの先端と同じ形状をしている。なお、扉１００に設けられたピン１１２を回動可能であれば、ねじ回し部１２の形状は、マイナスドライバーの先端部の形状に限らない。
【００２３】
第１軸体１３ａの操作棒２と反対側の先端には、棒１１の基端が固定される。一方、第１軸体１３ａの基端部には、第２軸体１３ｂが同軸に固定される。図１に示すように、第１軸体１３ａは、例えば、第２軸体１３ｂよりも細い円柱状の棒状部材である。第１軸体１３ａと第２軸体１３ｂとの間には段部１３０を有している。
【００２４】
第１バネ１４は、圧縮ばねである。第１バネ１４は、第１軸体１３ａの外周に巻き付けられるように配置される。第１バネ１４の図示下端は、図３に示すように、段部１３０と当接する。すなわち、第１バネ１４は、第１円筒体１５と第２軸体１３ｂとの間に設けられ、第１円筒体１５を第１軸体１３ａの基端から先端へ向かう方向へ付勢する。
【００２５】
第１円筒体１５は、第１軸体１３ａの外径よりも大きな内径を有する。第１円筒体１５は、図３に示すように、第１軸体１３ａと同軸に配置され、第１軸体１３ａの周りを囲むように配置される。また、第１円筒体１５の基端（図示下端）は、第１バネ１４の先端（図示上端）と当接する。
【００２６】
第２円筒体１６は、第１円筒体１５の外径よりも大きな内径を有し、第１円筒体１５の第１バネ１４と当接する側と反対側の先端面１５ｃ（図示上端面）を囲むように第１円筒体１５に固定される。図２および図３に示すように、第２円筒体１６は、第２円筒体１６の外周面１６ａから内周面１６ｂまで貫通するねじ孔を有する。固定ねじ１７は、外周面１６ａ側から第１円筒体１５の外周面１５aに向かってねじ込まれ、その先端が第１円筒体１５の外周面１５ａと当接し、第２円筒体１６を第１円筒体１５の軸方向の任意の位置に固定する。
【００２７】
第２円筒体１６の第１円筒体１５に対する軸方向の固定位置は、ピン１１２の扉表面１０１からの突出量に応じて調整可能である。言い換えれば、第１円筒体１５の先端面１５ｃが第２円筒体１６の先端面１６ｃよりもピン１１２の突出量だけ窪む位置で第２円筒体１６が第１円筒体１５に固定される。
【００２８】
すなわち、第２円筒体１６は、ピン１１２を第２円筒体１６の内側に納めることができ、且つ、第１円筒体１５に挿通配置されたねじ回し部１２とピン１１２の溝１１６を嵌合するためのガイドとして機能することができれば、その内径は限定されない。
【００２９】
第２円筒体１６の先端面１６ｃに軸方向の力が操作棒２の方向に加わると、図４に示すように、第２円筒体１６と固定された第１円筒体１５を支持する第１バネ１４がこの力に負けて圧縮される。言い換えれば、第２円筒体１６の先端面１６ｃが天井２００の扉１００に押し付けられると、図４に示すように、ねじ回し部１２が第１円筒体１５の先端面１５ｃよりも突出する。ねじ回し部１２の移動量は、第１バネ１４の圧縮量によって変わる。一方、上述の軸方向の力が無くなると（第２円筒体１６の先端面１６ｃを扉１００から離すと）、第１バネ１４の復元力により第１円筒体１５、および、第２円筒体１６は、図３に示す位置に戻る。
【００３０】
続いて、支持機構３０について図１および図２を用いて説明する。  
支持機構３０は、図１に示すように、第２軸体１３ｂの外周に巻きつくように配置される第２バネ３１と、第２バネ３１の棒１１側に設けた第１支持部３２と、第１支持部３２の棒１１側に設けた、第２支持部３３を備える。
【００３１】
第２バネ３１は、図１に示すように、第１支持部３２の図示下端と操作棒２の先端の間において、第１支持部３２を支持する。第２バネ３１は、操作棒２に対して第１支持部３２を操作棒２側の基端から第１支持部３２の先端へ向かう方向へ付勢する。本実施形態において、第２バネ３１は、圧縮ばねである。
【００３２】
第１支持部３２は、例えば、２つの外径の異なる円筒体を２つ組み合わせた部材である。第１支持部３２は、第２軸体１３ｂの外側に同軸に配置され、第２バネ３１の図示上端と当接する位置に配置される。本実施形態においては、第１部分３２ａの操作棒２側の基端と第２バネ３１の一端が当接する。
【００３３】
第２支持部３３は、第２円筒体１６よりも大きな外径を有するかご型の部材である。
【００３４】
第２支持部３３は、第２部分３２ｂの先端面３２ｃの外径よりも大きな外径を有する第１リング３３ａと、第１リング３３ａよりも大きな外径を有する第２リング３３ｂと、第２リング３３ｂよりもさらに大きな外径を有する第３リング３３ｃと、固定部材３４と、を有する。
【００３５】
第１リング３３ａは、第２軸体１３ｂと同軸に設けられる。第１リング３３ａは、第２部分３２ｂとほぼ同一平面上に配置される。第２リング３３ｂは、第２軸体１３ｂと同軸に設けられる。第２リング３３ｂは、第１リング３３ａの図示上方に第１リング３３ａとほぼ平行になるように所定の間隔を空けて配置される。第３リング３３ｃは、第２軸体１３ｂと同軸に設けられる。第３リング３３ｃは、第１リング３３ａおよび第２リング３３ｂとほぼ平行になるように所定の間隔を空けて配置される。
【００３６】
固定部材３４は、第１支持部３２から断面Ｕ字状に立ち上がるように固定される。固定部材３４は、上述の第１リング３３ａ、第２リング３３ｂ、および第３リング３３ｃを所定の間隔を空けて固定するために設けられる。すなわち、第２支持部３３は、全体として、半球状のかご型に形成される。さらに、本実施形態に係る第２支持部３３は、第３リング３３ｃの一部に２つの段部３３ｄを有している。
【００３７】
第１リング３３ａ、第２リング３３ｂ、および第３リング３３ｃの相互の軸方向の配置間隔は、本実施形態に限らず、第２支持部３３の構造上の強度または、操作性等を考慮して適宜設計することができる。
【００３８】
上記の構成を備える支持機構３０は、回転軸Ｃに沿って第３リング３３ｃを扉１００に押し付ける方向の力が係ると、第２支持部３３と固定された第１支持部３２を支持する第２バネ３１がこの力に負けて圧縮される。また、第３リング３３ｃを扉１００から離間させると、第２バネ３１の付勢力により第１支持部３２、および、第２支持部３３は、図１に示す位置に戻る。
【００３９】
次に、本実施形態に係る開閉装置１を用いた扉１００の開閉操作について説明する。
【００４０】
初めに、作業者は、操作棒２の先端に開閉装置１を取り付ける。作業者は、先端に開閉装置１が取り付けられた操作棒２を、天井２００の扉１００へ向けて伸ばす。
【００４１】
作業者は、開閉装置１の第２支持部３３の第３リング３３ｃの内側に扉１００のピン１１２が入るように操作棒２を操作する。作業者は、ピン１１２が第２円筒体１６の内周側に収まるように、さらに操作棒２の位置を調整し、第２円筒体１６の内周側にピン１１２を収容する。作業者は、さらに、ピン１１２の中心軸と第２円筒体１６の軸とが重なるように開閉装置１の位置を微調整する。ここで、ピン１１２は、第２円筒体１６の内周側に収容されている。このため、ピン１１２は、扉１００と先端面１６ｃとの間にピン１１２の突出量を超える隙間ができない限り、第２円筒体１６の内周側の範囲から外れることがない。すなわち、作業者は、第２円筒体１６の内径の範囲において、ピン１１２の位置をねじ回し部１２の位置に合わせて調整すればよい。
【００４２】
作業者は、ピン１１２の位置をねじ回し部１２に伝わる振動で感じたら、ピン１１２の端面にねじ回し部１２を当接させた状態で、操作棒２を回動する。操作棒２が回動すると、ねじ回し部１２も一緒に回動する。操作棒２を所定の角度回動させた時点において、ねじ回し部１２とピン１１２のねじ回し用の溝１１６が係合する。
【００４３】
作業者は、ねじ回し部１２の先端がピン１１２の溝１１６に係合したことを操作棒２を伝導する振動等で感じたら、更に大きく一方向に操作棒２を回動させる。これにより、ピン１１２が回動され、図５に矢印ｂで示すように、係止板１１４が第２位置１１４ｂから第１位置１１４ａへ回動する。
【００４４】
作業者は、係止板１１４が第１位置１１４ａへ移動したことを、操作棒２へ伝わる振動等で感じたら、天井方向への押圧をやめて、扉１００を支える。  
作業者は、ゆっくりと開閉装置１を床へ向かって下げる。扉１００は、第２支持部３３の第３リング３３ｃ上に支持されながら、ゆっくりと下方へ移動し、点検口が開らかれる。
【００４５】
また、本実施形態においては、第２支持部３３の第３リング３３ｃに段部３３ｄが設けられている。このため、この段部３３ｄを用いて、扉１００の係止機構１１０が設けられた側の一辺を支えることにより、滑ることなく扉１００を開くことが可能である。本実施形態においては、段部３３ｄは、第３リング３３ｃの２ヶ所に設けられている。段部３３ｄの第３リング３３ｃ上の位置については特に定められていない。
【００４６】
次に、扉１００を閉じるときの操作について説明する。なお、扉１００を開けるときの操作と同じ操作については、その詳細な説明を省略する。
【００４７】
作業者は、開閉装置１が取り付けられた操作棒２とは別の図示しない操作棒２の先端に天井の素材を傷つけないスポンジ部材等を取り付けた第２操作棒を準備する。  
作業者は、第２操作棒を操作して、点検口を塞ぐように、扉１００を動かす。作業者は、扉１００が天井２００と平行になった状態で、第２操作棒の伸縮量を調整し、床と扉１００との間で第２操作棒を突っ張り、扉１００を仮固定する。  
作業者は、開閉装置１が取り付けられている操作棒２を伸ばし、第１位置１１４ａから第２位置１１４ｂへピン１１２を回動する。なお、開閉装置１によるピン１１２の回動動作についての詳細な説明については、上記の扉１００を開くときの動作と同じであるため省略する。
【００４８】
作業者は、係止板１１４が第２位置１１４ｂへ回動したことを、操作棒２へ伝わる振動等で感じたら、開閉装置１を扉１００から離す。続いて、床と扉１００との間で突っ張っている第２操作棒を取り外して、扉１００の閉め操作を終了する。
【００４９】
このような構成を有する開閉装置１は、高所に設置されている扉１００のピン１１２を地上から容易に回すことができる。すなわち、ピン１１２よりもわずかに大きな内径を有する第２円筒体１６を有していることにより、作業者とピン１１２との物理的な距離が離れている場合であっても、小さなピン１１２に、第２円筒体１６を被せることができる。そして、第２円筒体１６の内周に囲まれたピン１１２は、ねじ回し部１２と容易に位置合わせをすることができる。
【００５０】
開閉装置１は、支持機構３０を有している。このため、扉１００を開くときにおいて、係止板１１４を第１位置１１４ａに回動したときに、扉１００の重さが第２円筒体１６に集中的に係ることを防ぐことができる。
【００５１】
また、支持機構３０の第２支持部３３の第３リング３３ｃは、段部３３ｄを備えている。このため、扉１００の縁は、第２支持部３３と係合しやすい。このため、作業者は、扉１００の重さを感じたら、段部３３ｄに扉１００の縁を誘導した後、ゆっくりと扉１００を開くことができる。
【００５２】
また、開閉装置１は、ねじ回し部１２が第２円筒体１６の先端面１６ｃから突出していない。このため天井２００に向けて操作棒２を操作したときに、誤って、天井２００のボードをねじ回し部１２で傷付けることを防ぐことができる。
【００５３】
また、支持機構３０は、回動機構１０に対して回動可能に支持されている。このため、支持機構３０は、回動機構１０がピン１１２を回すために回動されたときにも、回動機構１０と連動することなく、扉１００を支持することができる。
【００５４】
なお、本発明はこの実施形態に限定されるものではない。  
例えば、支持機構３０の第２支持部３３は、円環形状に限られず、扉１００の支持機能を備えていれば他の形状とすることもできる。
【００５５】
また、本実施形態においては、第２円筒体１６をピン１１２の位置決め用の部材としているが位置決め用の部材はこれに限られない。例えば、第１円筒体１５の内径をピン１１２の直径に合わせて適宜設計することもできる。すなわち、第１円筒体１５の内径をピン１１２が入る径とすることにより、第２円筒体１６の内周側に収容したピン１１２をさらに第１円筒体１５の内周側に収容することにより、ピン１１２の移動範囲を規制して、より確実にねじ回し部１２と嵌合しやすくすることも可能である。
【００５６】
本実施形態においては、第１円筒体１５または第２円筒体１６は、金属により形成されているが、第１円筒体１５または第２円筒体１６の材料はこれに限らず、例えば、樹脂材料、ゴム材料等を採用することも可能である。
【００５７】
また、第１バネ１４および第２バネ３１として、圧縮ばねを用いているが、これに限らず、例えば、他の弾性体に置き換えることも可能である。  
また、本実施形態においては、棒１１、第１軸体１３ａ、および、第２軸体１３ｂを別部材として記載しているが、全て一体に構成することも可能である。
【００５８】
また、本実施形態においては、点検口に取り付けられる扉の開閉をするための開閉装置に本発明を適用した場合について説明したが、これに限らず、床からの作業が困難な天井等に取り付けられている部材を回動させる装置全般に本発明を用いることができる。  
この他、本発明の要旨を逸脱しない範囲で種々変形実施が可能であるのはもちろんである。
【符号の説明】
【００５９】
１…開閉装置、２…操作棒、１０…回動機構、１１…棒、１２…ねじ回し部、１３ａ…第１軸体、１３ｂ…第２軸体、１４…第１バネ、１５…第１円筒体、１５ａ…外周面、１５ｃ…先端面、１６…第２円筒体、１６ａ…外周面、１６ｂ…内周面、１６ｃ…先端面、１７…固定ねじ、３０…支持機構、３１…第２バネ、３２…第１支持部、３２ａ…第１部分、３２ｂ…第２部分、３２ｃ…先端面、３３…第２支持部、３３ａ…第１リング、３３ｂ…第２リング、３３ｃ…第３リング、３３ｄ…段部、１００…扉、１０１…扉表面、１１０…係止機構、１１２…ピン、１１４…係止板、１１４ａ…第１位置、１１４ｂ…第２位置、１１６…溝、２００…天井、２０１…天井面、２０２…縁。
【図１】
2017145637.tif 000003
【図２】
2017145637.tif 000004
【図３】
2017145637.tif 000005
【図４】
2017145637.tif 000006
【図５】
2017145637.tif 000007